(57)【要約】      （修正有）【課題】ベッド上で使用する小物品（テレビのリモコンや眼鏡等）の置き場所を、出幅がほとんどなく且つ簡単で安価に製作できる小物品収容部付きのマットレスカバーを提供する。【解決手段】マットレス３の上面３１と幅方向両側面３２とに跨がって被覆し得るマットレスカバーにおいて、カバー生地４０におけるマットレスの幅方向各側面を覆う各側面被覆部４２の外面に、小物品を収容するためのポケット状の収容部５をそれぞれ設ける。【選択図】図１
0003203564.tif 000002
【実用新案登録請求の範囲】
【請求項１】
マットレス（３）における上面（３１）と幅方向両側面（３２，３２）とに跨がって被覆し得るマットレスカバーであって、
上記マットレスカバーのカバー生地（４０）における上記マットレス（３）の幅方向各側面（３２，３２）を覆う各側面被覆部（４２，４２）の外面に、小物品を収容するためのポケット状の収容部（５，５）をそれぞれ設けている、
ことを特徴とするマットレスカバー。
【考案の詳細な説明】
【技術分野】
【０００１】
本考案は、ベッドのマットレスを被覆するマットレスカバーに関し、さらに詳しくはそのカバー生地の適所にベッド上で使用済みの小物品を収容するための収容部を設けた小物品収容部付きのマットレスカバーに関するものである。
【背景技術】
【０００２】
ベッドは、ベッド本体上にマットレスを載置し、該マットレスをマットレスカバーで被覆して使用される。尚、マットレスカバーは、マットレス上面にベッドパッドを敷いた上から被覆することが多い。
【０００３】
ところで、マットレスをベッド本体上に載置してベッドとして使用する場合には、畳の上に直接布団を敷く場合と異なり、寝場所（マットレス上面）が床面からかなり高い位置となる。そして、ベッド上で使用した小物品（例えばテレビを見る場合に使用するリモコンや眼鏡、あるいは身近に置いておく携帯電話機等）は、不使用時に床面に置いておくと、ベッドから降りたときに不用意に踏みつけることがあるので、寝場所（マットレス上面）の近傍にベッド上で使用する小物品を安全に置く場所を確保しておくことが望まれる。
【０００４】
ベッド周辺に上記小物品の置き場所を確保するのに、従来では、ベッドのヘッドボードに小物品の置き場所となる棚を設けたものや、ベッドの側部にサイドテーブルを置くことがある。
【考案の概要】
【考案が解決しようとする課題】
【０００５】
ところが、ベッド上で使用する小物品の置き場所として、ベッドのヘッドボードに小物品の置き場所（棚）を設けたものでは、ベッド本体が高価になるとともに、ヘッドボードの置き場所に幅（棚）があるので、その分ベッド占有スペースが広くなって部屋内の有効スペースが狭くなるという問題がある。
【０００６】
他方、ベッドの側部にサイドテーブルを置く場合は、サイトテーブル（高価である）が必要であるとともに、室内にサイトテーブルの設置スペースが必要となるので、室内の有効スペースが狭くなるという問題がある。
【０００７】
そこで、本考案は、マットレスカバーのカバー生地にベッド上で使用する小物品の置き場所となるポケット状の収容部を設けることで、占有スペースがほとんど不要で且つ安価に製作できる小物品収容部付きのマットレスカバーを提供することを目的とするものである。
【課題を解決するための手段】
【０００８】
本考案は、上記課題を解決するための手段として次の構成を有している。尚、本考案は、添付の図１〜図２に例示するように、マットレス３における上面３１と幅方向両側面３２，３２とに跨がって被覆し得るマットレスカバー４を対象にしている。
【０００９】
そして、本考案のマットレスカバー４は、そのカバー生地４０におけるマットレス３の幅方向各側面３２，３２を覆う各側面被覆部４２，４２の外面に、小物品を収容するためのポケット状の収容部５，５をそれぞれ設けていることを特徴とするものである。
【００１０】
ところで、本願で使用されるマットレスカバーのカバー生地４０は、マットレス３のサイズ（例えばシングルサイズでは幅が９７cm程度、セミダブルサイズでは幅が１２０cm程度、ダブルサイズでは幅が１４０cm程度）に対応した各種サイズのものが製作・販売されている。即ち、各サイズのマットレスカバー４は、対応するマットレス３の上面幅と左右の各側面厚さと下面側への折り込み幅を有した横幅を有している。
【００１１】
そして、各サイズのマットレスカバー４に設けられている各収容部５，５の設置位置は、当該カバー生地４０の幅中心を対応サイズのマットレス３の幅中心に合わせた状態でカバー生地４０をマットレス３に被覆したときに、カバー生地４０におけるマットレス３の左右各側面３２，３２を被覆する各側面被覆部４２，４２のヘッド側（枕設置側）寄りの外面に位置するように設定されている。
【００１２】
即ち、本願で使用するカバー生地４０の幅は、使用するマットレス３のサイズ（幅寸法）に対応して複数種類あるが、上記各収容部５，５は、マットレスカバー４のサイズごとにカバー生地４０の幅中心から対応サイズのマットレス３の幅の１／２長さより僅かに長い（例えば２〜５cm程度長い）左右各位置に設けられている。そして、この各収容部５，５は、カバー生地４０でマットレス３の正規位置を被覆した状態では、該収容部５の開口部が側面被覆部４２におけるヘッド側寄り外面で上向きになるように取付けている。
【００１３】
この各収容部５，５は、図２に示すように、表裏２枚の生地を予め袋状に成形した袋部材５１をカバー生地４０の外面に縫着させたものでもよく、あるいは１枚の生地を上部側の開口となる部分を除いて周囲をカバー生地４０に縫合したものでもよい。又、左右の各収容部５，５は、ポケット部をベッド長さ方向に複数箇所（例えば２〜３箇所）ずつ設置してもよい。
【００１４】
本考案のマットレスカバーは、図１及び図２に示すようにベッド本体２上のマットレス３を被覆した状態で使用されるが、そのときカバー生地４０における各側面被覆部４２，４２のヘッド側寄り外面にそれぞれ収容部５，５が現れる。
【００１５】
そして、ベッド１上で使用する小物品（例えばテレビのリモコンや眼鏡等）の不使用時には、ベッド上に寝たままで不使用小物品を収容部（ポケット）５内に収容することができる。
【００１６】
又、上記収容部５はベッド１の左右各側に設けられているので、ベッド１の片側面を部屋の壁面に接合（又は近接）して設置したときに、その壁面接合側の収容部５は塞がれるものの、他方側の収容部５は開放されたままであるので、その開放側の収容部５を小物品収容用として使用可能である。
【考案の効果】
【００１７】
本考案のマットレスカバーには、次のような効果がある。
【００１８】
(１)カバー生地４０におけるマットレス側面３２を覆う側面被覆部４２の外面に小物品収容用の収容部５を設けているので、ベッド１上で使用済みになった小物品（例えばテレビのリモコンや眼鏡等）をベッド上に寝たままで収容部５内に収容できる。従って、ベッド上で使用済みになった小物品を安全な場所に保管できる。
【００１９】
(２)上記収容部５は、ポケット状のものであるので、ベッド側面からの出幅はほとんどなく、小物品の収容部５を設けたものであっても、部屋内の有効スペース（利用可能スペース）が狭くならない。
【００２０】
(３)上記収容部５は、ポケット状のものであるので、簡単に且つ安価に製作できる。
【００２１】
(４)上記収容部５は、左右のマットレス側面３２，３２を覆う左右の各側面被覆部４２，４２に設けているので、ベッド１の片側面を部屋の壁面に接合して設置したときに、その壁面接合側の収容部５は塞がれるものの、他方側の収容部５は開放されたままでなるので、その開放側の収容部５を小物品収容用として使用できる。
【図面の簡単な説明】
【００２２】
【図１】本願実施例のマットレスカバーでマットレスを被覆した状態でのベッドの斜視図である。
【図２】図１のII−II拡大断面図（中間部省略図）である。
【考案を実施するための形態】
【００２３】
以下、図１〜図２を参照して本願実施例のマットレスカバーを説明すると、この実施例のマットレスカバー４は、ベッド１のマットレス３を被覆するのに使用されるものである。尚、マットレスカバー４は、マットレス３の上面３１にベットパッド３０（図２参照）を敷いた上から被覆されることが多い。
【００２４】
図１及び図２に示すベッド１は、ヘッドボード２１とフットフレーム２２と左右のサイドフレーム２３，２３と床板２４（図２参照）とを有したベッド本体２上にマットレス３を載置したものである。そして、マットレス３を被覆するマットレスカバー４は、そのカバー生地４０として、マットレス３の上面３１及び左右各側面３２，３２を被覆するとともに、マットレス３の下面側に折り込まれる左右各折込部４３，４３（図２参照）を含む幅を有している。
【００２５】
マットレス３のサイズとしては、例えばシングルサイズ（幅が９７cm程度）、セミダブルサイズ（幅が１２０cm程度）、ダブルサイズ（幅が１４０cm程度）等のものがあり（ほかにも各種のサイズがある）、さらにそれらの各サイズのマットレス（ベッド本体付き）を２台並設して広幅のベッドとして使用することもある。そして、この実施例のマットレスカバー４は、マットレス３のサイズ（２台並設する場合はその２台幅）に対応した各種サイズのものが製作・販売されている。
【００２６】
この実施例のマットレスカバー４は、そのカバー生地４０におけるマットレス３の幅方向各側面３２，３２を覆う各側面被覆部４２，４２の外面に、小物品を収容するためのポケット状の収容部５，５をそれぞれ設けている。この左右の各収容部５，５は、マットレスカバー４をマットレス３に被覆した状態で、その各側面被覆部４２，４２におけるヘッド側寄りに位置し、且つポケット開口部５２が上向きに開口するように設置されている。尚、この収容部５，５に収容する小物品とは、主としてベッド１上で使用されるものであって、例えばテレビを見るときのリモコンや眼鏡、あるいは身近に置いておく携帯電話機等のことであるが、これらの物品以外にもベッド１上に持ち込まれる適宜の小物品を収容できる。
【００２７】
この各収容部５，５は、図示例（図２）では表裏２枚の生地を予め袋状に成形した袋部材５１をカバー生地４０の外面に縫着させたものであるが、１枚の生地を上部側の開口となる部分（開口部５２）を除いて周囲をカバー生地４０に縫合したものでもよい。
【００２８】
又、左右各側の収容部５，５は、図示例のものではそれぞれ前後２つの袋部材（ポケット部材）５１，５１を連設したものであるが、該収容部５は前後２つの袋部材５１，５１を前後に離間させたものでもよく、あるいは１つの袋部材５１だけのものや３つ以上の袋部材５１を用いたものでもよい。
【００２９】
この実施例のマットレスカバー４は、図１及び図２に示すように、ベッド本体２上のマットレス３を被覆した状態で使用されるが、そのときカバー生地４０における各側面被覆部４２，４２のヘッド側寄り外面にそれぞれ収容部５，５が現れる。
【００３０】
そして、この実施例のマットレスカバー４には、次のような効果がある。
【００３１】
まず、カバー生地４０におけるマットレス側面３２を覆う側面被覆部４２の外面に小物品収容用の収容部５を設けているので、ベッド１上で使用済みになった小物品（例えばテレビのリモコンや眼鏡等）をベッド１上に寝たままで収容部５内に収容できる。従って、ベッド１上で使用済みになった小物品を安全な場所に保管できる。
【００３２】
又、上記収容部５は、ポケット状のものであるので、ベッド側面からの出幅はほとんどなく、小物品の収容部５を設けたものであっても、部屋内の有効スペース（利用可能スペース）が狭くならないとともに、簡単に且つ安価に製作できる。
【００３３】
さらに、上記収容部５は、左右のマットレス側面３２，３２を覆う左右の各側面被覆部４２，４２に設けているので、ベッド１の片側面を部屋の壁面に接合して設置したときに、その壁面接合側の収容部５は塞がれるものの、他方側の収容部５は開放されたままでなるので、その開放側の収容部５を小物品収容用として使用できる。
【符号の説明】
【００３４】
１はベッド、２はベッド本体、３はマットレス、４はマットレスカバー、５は収容部、３１はマットレスの上面、３２はマットレスの側面、４０はカバー生地、４１は上面被覆部、４２は側面被覆部、５１は袋部材、５２は開口部である。
【図１】
0003203564.tif 000003
【図２】
0003203564.tif 000004